(57)【要約】      （修正有）【課題】薬物分泌機能のある弾性リングに関するものであって、より詳細には果物の成長期に使用される保護用袋に設けられ、内腔に格納された薬物が持続的に分泌される機能のある弾性リングを提供する。【解決手段】弾性リングは外皮１１０と、外皮１１０の内部に形成された内腔１２０と、外皮１１０の一側に形成された開閉窓１３０と、開閉窓１３０を密閉できるように外皮１１０に設けられた密閉手段１４０と、密閉手段１４０を分離できるように形成された分離手段１５０を含めて構成される。開閉窓１３０は内腔１２０に受容された薬物が排出できるように外皮１１０の一側に形成され、受容された薬物が持続的に排出できるように形成される。公知の二重射出やインサート射出などの技術により、開閉窓１３０の縁を外皮１１０の材質と同様の材質で、強い強度を有するように成形できる。【選択図】図４
0003193449.tif 000002
【実用新案登録請求の範囲】
【請求項１】
果物袋の入口に設けられる弾性リングであって、
外皮と、
前記外皮が円筒型に巻き込まれて形成された内腔と、
密閉手段が分離されることにより前記内腔に受容された薬物が分泌できるように、前記外皮の一側に形成され、前記内腔を外部へ開放させる開閉窓と、
前記開閉窓の縁に付着されて前記内腔を密閉する薄膜形態で形成された密閉手段と、
前記密閉手段の一側に形成され、密閉手段が前記外皮から分離できるように形成された分離手段と、を備える、
薬物分泌機能のある弾性リング。
【請求項２】
前記内腔は前記開閉窓が２つに分割されるように設けられる第１の仕切りと、前記第１の仕切りと離隔されて設けられる第２の仕切りと、を更に備える請求項１に記載の薬物分泌機能のある弾性リング。
【請求項３】
果物袋の入口に設けられる弾性リングであって、
外皮と、
前記外皮が円筒型に巻き込まれて形成された内腔と、
前記内腔に受容された薬物が分泌できるように前記外皮の一側に形成された溝と、を備える、
薬物分泌機能のある弾性リング。
【請求項４】
前記内腔は、内腔が多数に分割できるように設けられる複数の仕切りを更に備える請求項３に記載の薬物分泌機能のある弾性リング。
【請求項５】
果物袋の入口に設けられる弾性リングであって、
外皮と、
前記外皮が円筒型に巻き込まれて形成された内腔と、
密閉手段が分離されることにより前記内腔に受容された薬物が分泌されるように、前記外皮の一側に形成され、前記内腔を外部へ開放させる開閉窓と、
前記開閉窓の縁に付着されて前記内腔を密閉する薄膜形態の密閉手段と、
前記密閉手段の一側に形成され、密閉手段が前記開閉窓の縁から分離できるように形成された分離手段と、
前記外皮の内周面と外周面の横切断面に形成される一対の結合手段と、を備える、
薬物分泌機能のある弾性リング。
【請求項６】
前記結合手段は挿入溝を形成する凹部と柱を形成する凸部を締結手段として有する雌雄部材であって、凸部が反対側の雌雄部材の凹部に挟まれて結合される構造を有する請求項５に記載の薬物分泌機能のある弾性リング。
【請求項７】
前記結合手段の一側に、前記結合手段が果物袋の入口に形成されたトンネル内に容易に引き込みできるように形成された引き込みガイド線状体を更に備える請求項５に記載の薬物分泌機能のある弾性リング。
【請求項８】
前記内腔は、前記開閉窓が２つに分割されるように設けられる仕切りを更に備える請求項５に記載の薬物分泌機能のある弾性リング。
【請求項９】
果物袋の入口に設けられる弾性リングであって、
外皮と、
前記外皮が円筒型に巻き込まれて形成された内腔と、
前記内腔に受容された薬物が分泌できるように前記外皮の一側に形成された溝と、
前記外皮の内周面と外周面の横切断面に形成される一対の結合手段と、を備える、
薬物分泌機能のある弾性リング。
【請求項１０】
前記結合手段は挿入溝を形成する凹部と柱を形成する凸部を締結手段として有する雌雄部材であって、凸部が反対側の雌雄部材の凹部に挟まれて結合される構造を有する請求項９に記載の薬物分泌機能のある弾性リング。
【請求項１１】
前記結合手段の一側に、前記結合手段が果物袋の入口に形成されたトンネル内に容易に引き込みできるように形成された引き込みガイド線状体を更に備える請求項９に記載の薬物分泌機能のある弾性リング。
【請求項１２】
前記内腔は、内腔が多数に分割できるように設けられる複数の仕切りを更に備える請求項９に記載の薬物分泌機能のある弾性リング。
【考案の詳細な説明】
【技術分野】
【０００１】
本考案は、薬物分泌機能のある弾性リングに関するものであって、より詳細には果物の成長期に使用される保護用袋に設けられ、内腔に格納された薬物が持続的に分泌される機能のある弾性リングに関するものである。
【背景技術】
【０００２】
果実保護用袋（以下、袋と表記する）と成長促進剤は一部果物農業において、果実の商品性を高めるために使われている。
【０００３】
梨の代表的な病虫害としては黒星病、赤星病、ナシコナカイガラムシ、ヨーロッパナシキジラミ、ダニ類があり、ブドウの場合には、炭疽病、べと病、ブドウトラカミキリ、ブドウスカシバが代表的な病虫害である。韓国農村振興庁の報告によると、２０１２年度韓国での黒星病の発病率は４７％であり、これによる梨の収穫量の減少率は５０％だった。黒星病の発生がひどい年には７０％の収穫量が減少した場合もあった。
黒星病の予防のために５月末から週に２回以上、総計１０回くらい防除薬剤を散布している。特に梅雨の季節には雨がしばらく止んでいる間に農薬を散布し、梅雨が長引くと農薬散布の回数が更に増加することになる。最近、放置された廃果樹園の増加と造園用の香木の個体数の増加により、更に多くの農薬が散布されている。
【０００４】
黒星病と炭疽病は胞子により感染される疾患であり、硫黄製剤はこれら病虫害に有効な効果がある。増加する病虫害の発生に対する対処として過度な農薬散布以外にも幾つの他の方法があり、そのうちのひとつに硫黄帯を梨の木の下段部にかける方法もあったが、費用対比の効果が低くて広く使われていない。硫黄は開花の後と葉の成長期には薬害と薬毒により散布することができず、袋がけの後には硫黄が果物に到達し難いため使わない。ブドウの場合、炭疽病などが硫黄混合製剤に有効に防除されるが、散布可能な時期にやはり制約がある。
【０００５】
有用な農薬の散布時期的な制約を克服し、農薬使用量を減らすことができる方法として、果実のほぞや袋の内に局所的に薬物を使用する方法を考慮することができる。
【０００６】
ジベレリンは梨とブドウなどの果実に生長促進のために用いられる抽出成長ホルモン剤であり、該当薬物を使用した場合、梨は１５日程度成熟期間が短縮され、着色が増進され、果実の大きさが増大する。現在ジベレリンは梨の花が満開してから３０日〜４０日の間に手作業で梨のほぞに塗布され、ジベレリンを塗布してから１週間を待って袋がけの作業が行われる。
【０００７】
一方、袋がけを梨の花の満開後２０日ほど前倒しして実施すると梨の果実に発生する黒星病が容易に予防できると知られている。このような理由でジベレリン塗布と袋がけを同時に実施できれば、黒星病の抑制と投与する労働力減少の効果が同時に発生すると予想される。
【０００８】
現在実施されている袋がけ作業は鉄心を用いて紙袋を果実のほぞに付着する手作業で行われている。このような方式では人件費とそれによる付帯費用が材料代より二倍多く発生する。また、人件費は農村の人手不足に伴い毎年増加傾向にある。
従来技術によると、前記作業は作業の動線が長く、多数の段階の作業過程が含まれており、筋骨格系の疾患や疲労度の増加、危険状況の発生、作業能率の低下などの問題がある。また、作業中に落果などの問題が生じ、鉄心絞りの不均一などにより有害農薬とカイガラムシなどが袋の中に流入される問題点がある。
【先行技術文献】
【特許文献】
【０００９】
【特許文献１】韓国特許文献１０１１３１０６３００００「果実保護用袋」
【特許文献２】韓国特許文献２００３６５８８８００００「ジッパークリップが形成された果実保護用袋」
【特許文献３】韓国特許文献１０１１５０３５８００００「果物保護用ワンタッチ挟持片」
【特許文献４】韓国特許文献１００５３０８３５００００「果物保護用袋」
【特許文献５】韓国特許文献２００２２５３２８００００「開口部が自動に閉じられる果物保護用袋」
【特許文献６】韓国特許文献２０００２６１９３００００「果物保護型卦け袋」
【特許文献７】韓国特許文献２００４０６２４４００００「果物保護用袋」
【考案の概要】
【考案が解決しようとする課題】
【００１０】
本考案の目的は次のような課題を行うための薬物分泌機能のある弾性リングの提供にある。
【００１１】
一つ、袋がけ作業と別に行っていた成長促進剤の処置作業を省略する。
【００１２】
二つ、袋がけ作業の単純化により、作業者の疲労を減少させ、筋骨格系の疾患を予防し、労働生産性を向上させる。
【００１３】
三つ、農薬の局所的な適用により農薬の使用量と散布回数を減らす。
【課題を解決するための手段】
【００１４】
前述した技術的課題を解決するための本考案は、果物袋の入口に設けられる弾性リングであって、外皮と、前記外皮が円筒型に巻き込まれて形成された内腔と、前記外皮の一側に形成され、前記内腔を外部へ開放させる開閉窓、前記開閉窓の縁に付着されて前記内腔を密閉する薄膜形態で形成された密閉手段と、前記密閉手段の一側に形成され、密閉手段が前記外皮から分離できるように形成された分離手段と、を含み、前記密閉手段が分離されると前記開閉窓で前記内腔に格納された薬物が分泌される薬物分泌機能のある弾性リングを提供する。
【００１５】
前述の特徴による薬物分泌機能のある弾性リングにおいて、前記内腔には前記開閉窓が２つに分割されるように設けられる第１の仕切りと、前記第１の仕切りと離隔されて設けられる第２の仕切りと、が更に含まれることが望ましい。
【００１６】
前述の技術的課題を解決するための本考案は、果物袋の入口に設けられる弾性リングであって、外皮と、前記外皮が円筒型に巻き込まれて形成された内腔と、前記内腔に受容された薬物が分泌できるように前記外皮の一側に形成された溝と、を含めて構成される薬物分泌機能のある弾性リングを提供する。
【００１７】
前述の特徴による薬物分泌機能のある弾性リングにおいて、前記内腔には内腔が多数に分割できるように設けられる複数の仕切りが更に含まれることが望ましい。
【００１８】
前述の技術的課題を解決するための本考案は、果物袋の入口に設けられる弾性リングであって、外皮と、前記外皮が円筒型に巻き込まれて形成された内腔と、前記外皮の一側に形成され前記内腔を外部へ開放させる開閉窓と、前記開閉窓の縁に付着されて前記内腔を密閉する薄膜形態で形成された密閉手段と、前記密閉手段の一側に形成され密閉手段が前記開閉窓の縁から分離できるように形成された分離手段と、前記外皮の内周面と外周面の横切断面に形成される一対の結合手段と、を含めて構成され、前記密閉手段が分離されると前記開閉窓で前記内腔に格納された薬物が分泌される薬物分泌機能のある弾性リングを提供する。
【００１９】
前述の特徴による薬物分泌機能のある弾性リングにおいて、前記結合手段は挿入溝を形成する凹部と柱を形成する凸部を締結手段として有する雌雄部材であって、凸部が反対側の雌雄部材の凹部に挟まれて結合されることが望ましい。
【００２０】
前述の特徴による薬物の分泌機能のある弾性リングにおいて、前記雌雄部材の一側に設けられ、雌雄部材が果物袋の入口に形成されたトンネル内に容易に引き込みできるように形成された引き込みガイド線状体が更に含まれることが望ましい。
【００２１】
前述の特徴による薬物分泌機能のある弾性リングにおいて、前記内腔には前記開閉窓が２つに分割されるように設けられる仕切りが更に含まれることが望ましい。
【００２２】
前述の技術的課題を解決するための本考案は、果物袋の入口に設けられる弾性リングであって、外皮と、前記外皮が円筒型に巻き込まれて形成された内腔と、前記内腔に受容された薬物が分泌できるように前記外皮の一側に形成された溝と、前記外皮の内周面と外周面の横切断面に形成される一対の結合手段と、を備える薬物分泌機能のある弾性リングを提供する。
【００２３】
前述の特徴による薬物分泌機能のある弾性リングにおいて、前記結合手段は挿入溝を形成する凹部と柱を形成する凸部を締結する手段として有する雌雄部材であって、凸部が反対側の雌雄部材の凹部に挟まれて結合されることが望ましい。
【００２４】
前述の特徴による薬物の分泌機能のある弾性リングにおいて、前記雌雄部材の一側に形成され、雌雄部材が果物袋の入口に形成されたトンネル内に容易に引き込みできるように形成された引き込みガイド線状体が更に含まれることが望ましい。
【００２５】
前述の特徴による薬物分泌機能のある弾性リングにおいて、前記内腔には内腔が多数に分割できるように設けられる複数の仕切りが更に含まれることが望ましい。
【考案の効果】
【００２６】
本考案による薬物分泌機能のある弾性リングは内腔に薬物を格納した状態で果物袋の入口に設けられる。袋がけ作業時に袋の入口を開けて果実に掛けると弾性リングの縮小弾力で袋が果実のほぞに固定される。よって、作業が単純になり、作業所要時間が短縮され、作業能率が向上できる。
【００２７】
即ち、従来には袋がけ作業時に鉄心やバックルリングを用いたがこれらの一連の過程が省略できる。
【００２８】
なお、袋がけ作業工程を単純化することにより手作業によらず工程自体を自動化することが可能となる。生産費用の減少と栽培面積の拡大が実現され、これによって農業発展に肯定的な寄与ができる。
【００２９】
また、肉体作業を一部機械作業に代替でき、農薬使用量を減らすことができ、環境にやさしい農業環境の造成にも効果がある。特に、輸出果物の農薬検出制限に能動的な対処が可能となるので輸出の増大にも効果がある。
【図面の簡単な説明】
【００３０】
【図１】本考案の第１実施例、第２実施例による薬物分泌機能のある弾性リングが果実保護用袋に設けられる例を示した参考図である。
【図２】本考案の薬物分泌機能のある弾性リングが果実保護用袋に設けられた状態の例を示した側面図である。
【図３】本考案の第１実施例による薬物分泌機能のある弾性リングの斜視図である。
【図４】本考案の第１実施例による薬物分泌機能のある弾性リングの断面斜視図である。
【図５】本考案の第１実施例による薬物分泌機能のある弾性リングの内腔に仕切りが設けられた状態の断面斜視図である。
【図６】本考案の第２実施例による薬物分泌機能のある弾性リングの斜視図である。
【図７】本考案の第２実施例による薬物分泌機能のある弾性リングの内腔に仕切りが設けられた状態の断面斜視図である。
【図８】本考案の第３実施例による薬物分泌機能のある弾性リングの斜視図である。
【図９】本考案の第３実施例による薬物分泌機能のある弾性リングの断面斜視図である。
【図１０】本考案の第３実施例による薬物分泌機能のある弾性リングの内腔に仕切りが設けられた状態の断面斜視図である。
【図１１】本考案の第４実施例による薬物分泌機能のある弾性リングの斜視図である。
【図１２】本考案の第４実施例による薬物分泌機能のある弾性リングの内腔に仕切りが設けられた状態の断面斜視図である。
【図１３】本考案の第３実施例、第４実施例による薬物分泌機能のある弾性リングの結合手段である雌雄部材の断面図である。
【図１４】本考案の第３実施例、第４実施例による薬物分泌機能のある弾性リングが袋の入口に設けられる例を示した参考図である。
【考案を実施するための形態】
【００３１】
以下では、本考案の望ましい実施例及び添付の図面を参照して本考案を詳細に説明する。但し、図面の同一の参照符号は同一の構成要素を示すことを前提して説明する。
【００３２】
まず、本考案による薬物分泌機能のある弾性リングが設けられる果物袋の例を調べてみる。
【００３３】
果物袋１は、図１に示されるように果実が投入できるように形成された入口１０と中に入った果物が置かれる本体部２０を含めて形成された公知の果物保護用袋である。望ましくは果物袋の入口１０は横方向の幅が本体部２０の横幅より狭く形成された袋であって、これは本考案による弾性リングが袋と結合する場合に弾性リングが伸びることを減らすためである。
【００３４】
前記のような果物袋の入口１０に本考案による第１実施例と第２実施例の弾性リング１００を設ける簡単な例としては、まず弾性リング１００の内周面に平行な一対のバー２を挟み、これらバーの間の距離を広げて弾性リング１００を伸ばせる。
【００３５】
次は、伸びた弾性リング１００が袋の入口１０に包まれて設けられるように袋の入口１０の端部を本体部２０の方に折るか、又は巻いて本体部２０と結合させる。袋の端部を折り畳んで形成された袋入口部のトンネル１１は、本実施例の弾性リング１００が前記空間内で動くことができるように弾性リング１００の外皮の直径より大きく形成されることが望ましい。
この場合、袋の入口１０は図２に示されたように設けられた弾性リング１００の外周面の一部が外部に露出できるように両方が開放された形態であることが望ましく、これは製造工程において、弾性リングの内周面に掛かる前記バー２の据え置き空間の提供と、以下に説明する分離手段の引出と、以下に説明する結合手段の露出のためである。
【００３６】
本考案による薬物分泌機能のある弾性リングは中空の形成された中空リング状の構造物であり、板状の外皮が円筒状に巻き込まれて内腔を形成する構造であって、内腔は菅状に形成され閉鎖された円を形成する外皮の内部である。
【００３７】
本考案による薬物分泌機能のある弾性リングは中空リング構造を形成する外皮１１０及び外皮１１０の内部に形成された内腔１２０を含めて構成される。
【００３８】
外皮１１０は一定の厚さを有する弾性材で形成される。望ましい材質としてはゴムがあるが、ポリウレタン、高分子有機化合物、又は弾力性と復元性を有する他の物質も使用できる。発泡ゴムとポリウレタンフォーム（ｆｏａｍ）は軽くて弾性のある材質として外皮１１０に使用できる有用な材実である。
【００３９】
内腔１２０は外皮１１０の内部に薬物が受容できるように形成された空間であって、開閉窓又は溝を通じて外部と連結される。内腔は軟膏形態、液体形態、顆粒形態、粉末形態、などの薬物が受容できるように形成される。
【第１実施例】
【００４０】
図３乃至図５は本考案の第１実施例による薬物分泌機能のある弾性リングを示したものであり、前記弾性リングは外皮１１０と、外皮１１０の内部に形成された内腔１２０と、外皮１１０の一側に形成された開閉窓１３０と、開閉窓１３０を密閉できるように外皮１１０に設けられた密閉手段１４０と、密閉手段１４０を分離できるように形成された分離手段１５０を含めて構成される。
【００４１】
本考案の第１実施例において、開閉窓１３０は内腔１２０に受容された薬物が排出できるように外皮１１０の一側に形成され、受容された薬物が持続的に排出できるように形成される。
公知の二重射出やインサート射出などの技術により、開閉窓１３０の縁を外皮１１０の材質と同様の材質で、強い強度を有するように成形できる。このように開閉窓の縁１３１を外皮１１０より弾性が少なく、より堅い材質で形成すると弾性リング１００が袋１に設けられる過程で発生した引張応力により開閉窓１３０が開くことが防止でき、袋がけの過程で密閉手段１４０を容易に分離できる。
【００４２】
密閉手段１４０は開閉窓１３０を密閉できるように形成され、開閉窓の縁１３１を含めた外皮１１０の一側に付着されて設けられる。密閉手段１４０は薄膜形態で形成され、材質は軽い素材として内腔１２０に格納される薬物に反応しない材質が望ましい。密閉手段１４０には公知のビニル膜、フィルム膜などを材料として利用できるが、前記の望ましい条件を備えた他の材料も使用できる。このように形成された密閉手段１４０は作業者が開閉窓１３０から分離させる前までに結合された状態を保持することができるように接着剤により開閉窓１３０の縁に付着される。
【００４３】
密閉手段１４０の一側には、引っ張ることにより密閉手段１４０を分離できる分離手段１５０が形成される。分離手段１５０は作業者が密閉手段１４０を容易に分離できるように形成することが望ましい。
分離手段１５０は作業者が手で引っ張ることができる一定の長さを有する線や紐等から成される。分離手段１５０は綿織物、毛織物、金属、合成繊維、ナイロン、その以外の線状で製造可能な物質であり、軽くて引張応力に耐えられる素材が望ましい。袋入口トンネル１１に本考案の薬物分泌機能のある弾性リング１００を設ける際に、弾性リング１００の一部が外部へ露出される部分を通じて分離手段１５０が外部へ引き出されるようにして作業者が分離手段１５０を容易に操作できるようにする。
【００４４】
分離手段１５０を引っ張って密閉手段１４０を開閉窓１３０から分離すると、開閉窓１３０を通じて内腔１２０に格納された薬物が分泌される。前記薬物は本考案の第１実施例による弾性リングの内腔１２０に固体状態で受容できるが、液体状態の薬物が受容されるのがより望ましい。受容された液体状態の薬物は開閉窓１３０が開放されると弾性リングが設けられたトンネル１１に分泌されて果物のほぞと袋に染み込む。
【００４５】
一方、本考案の第１実施例による弾性リングの内腔１２０には一定の厚さを有し、開閉窓１３０を２つに分割できるように設けられた第１の仕切り１６１及び第１の仕切りと一定の距離だけ離れたところに設けられる第２の仕切り１６２を含めて構成された仕切り１６０が更に含まれ、内腔１２０を２つに分割して形成できる。これによって分割された内腔１２０には互いに異なる用途の薬物を受容することもできる。第１の仕切り１６１は開閉窓１３０を２つに分割するように形成され、開閉窓１３０の内側の内腔１２０に形成される。
【００４６】
一方、本実施例による他の変形では、開閉窓１３０は弾性リングの内周面だけでなく外周面にも形成することができ、内周面と外周面の中間にも形成できる。
【第２実施例】
【００４７】
図６乃至図７は本考案の第２実施例による薬物分泌機能のある弾性リングを示したものであって、このような弾性リングは外皮１１０と、外皮１１０の内部に薬物が受容できるように形成された内腔１２０と、内腔１２０に受容された薬物が分泌できるように外皮１１０に形成された溝１７０と、を含めて形成される。
【００４８】
本考案の第２実施例による薬物分泌機能のある弾性リングの外皮１１０は第１実施例の外皮１１０と同じ材質であり、同じ機能を行う。
【００４９】
第２実施例の内腔１２０は外皮１１０により形成される。内腔１２０は外皮１１０が外皮の真ん中の面に空間を形成するように巻き込まれて中空を包む形態の空間である。内腔１２０は外皮１１０に形成された溝１７０を介して外部と通じる。
【００５０】
溝１７０は内腔１２０を形成する外皮１００が巻き込まれて外皮１１０の２つのエッジが接して形成される。溝１７０には微細に広がった両エッジ間隔が肉眼では連結されたように見える。
内周面に形成される溝１７０を例えて説明すると外皮１１０の両エッジにより形成される溝の空間距離は０．０１ｍｍ〜１ｍｍ内外の寸法を有する。溝１７０は内腔１２０に受容された薬物が分泌できるように形成され、受容された薬物が一時に分泌できないように微細に形成されることが望ましい。
【００５１】
本考案の第２実施例と後述する第４実施例による薬物分泌機能のある弾性リングの内腔１２０には顆粒形態、粉末形態の薬物が格納されるのが望ましく、溝１７０は受容された薬物の粒の大きさより小さく形成され、薬物が長時間にわたってゆっくり分泌できるように形成されるのが望ましい。
本考案の第２実施例と第４実施例において内腔１２０に格納された顆粒形態または粉末形態の薬物は親水性の物質として雨水または空気中の水分と反応して溶解され、体積が増加して溝１７０を通じて持続的に分泌される。
【００５２】
本考案の第２実施例で弾性リングの内腔１２０には内腔１２０を多数に分割できるように設けられた一定の厚さを有した複数の仕切り１６０が含まれ、多数の内腔１２０に互いに異なる用途の薬物が受容できるようにすることもできる。内腔１２０と溝１７０は仕切り１６０により分割され、多数の溝が外皮１１０に形成されることもできる。
【００５３】
本考案の第２実施例の変形で溝１７０は弾性リングの内周面だけでなく外周面にも形成されることができ、内周面と外周面の中間にも形成できる。
【第３実施例】
【００５４】
前述の本考案の第１実施例と第２実施例の弾性リングは袋の入口１０と結合する過程において、弾性リングが袋の入口より長く伸ばされ、トンネル１１は瞬間接着剤により形成されるという条件が必要である。このように弾性リングを長く伸ばし、かつ接着剤の機能が瞬間的に行われなければならない製造工程上の問題点を改善するためのものが第３実施例と第４実施例である。
【００５５】
図８乃至図１０は本考案の第３実施例による薬物分泌機能のある弾性リングを示したものであり、このような弾性リングは、外皮１１０と、外皮１１０の内部に形成された内腔１２０と、外皮１１０の一側に形成された開閉窓１３０と、開閉窓１３０を密閉することができるように外皮１１０に設けられた密閉手段１４０と、密閉手段１４０を分離できるように形成された分離手段１５０と、開閉窓の反対側の外皮を内周面と外周面に対して垂直に切断して前記横切断面に連続するように形成され、外皮を分離させ、前記分離された外皮の切断面が再び結合されるようにする結合手段１８０と、を含めて構成される。
【００５６】
本考案の第３実施例の外皮１１０は第１実施例による弾性リングの外皮１１０と同一の機能を行い、同一な材質で形成できる。第３実施例における内腔１２０、開閉窓１３０、密閉手段１４０、分離手段１５０は第１実施例による内腔１２０、開閉窓１３０、密閉手段１４０、分離手段１５０と同一の構成と機能を有するので、詳細な説明は省略する。
【００５７】
結合手段１８０は第３実施例と後述する第４実施例と同じ機能と構成を有するので同一に説明できる。
【００５８】
第３実施例による弾性リングは第１実施例の弾性リングを外皮１１０の開閉窓１３０が形成された部分を除いて、円周方向のある部位で内周面と外周面との間を横切断して前記横切断面の２つの端部に一対の結合手段１８０を形成する。このような一対の結合手段１８０は分離された状態であるが、本考案による弾性リングが袋のトンネル１１に挿入された後に締結されて完成されたリング構造を形成する。
【００５９】
考案の第３実施例と第４実施例の弾性リングは結合手段からなる円を開放して線状体に変化され、このような線状体は前記結合手段の締結結合により閉鎖された円を形成する薬物分泌機能のある弾性リングとして完成される。結合手段の締結結合は前記弾性リングが袋の入口のトンネル中に挿入された後に行われ、引き込みガイド線状体１８５の除去が行ってから実施例と袋の結合が完成される。
【００６０】
結合手段１８０は雌雄部材から成ることが望ましい。雌雄部材は挿入溝を成す凹部１８１と柱を有する凸部１８２とで形成される。図１３に示されたように、凹部１８１は雌部材であって結合手段の真ん中の部分に溝が掘れている形態であり、凸部１８２は柱であって結合手段の一側が突出された突起の形態である。
一対の雌雄部材は互いに嵌め合って結合され、突出された形態の凸部１８２が反対側の雌雄部材の凹部１８１に嵌め合って結合される。雌雄部材を成す凹部１８１と凸部１８２は外皮より弾性力の少ない材質からなり、堅い構造体から形成されることが望ましい。柱である凸部１８２の体積を挿入溝である凹部１８１の体積より大きく形成して両部分は強制的に嵌められる場合、これによる接触面の摩擦により容易に解体することができない。
【００６１】
結合手段１８０は開閉窓１３０のように公知された二重射出やインサート射出などの技術により外皮１１０に形成でき、別途製作されて接着式で外皮１１０に結合されるか、一側に嵌合爪（未図示）等が形成されて外皮１１０に嵌合結合することもできる。
【００６２】
図示していないが、雌雄のフックの構造体が結合手段１８０を形成することもできる。前記フック構造は雌部材と雄フックが嵌め合って結合し、自ら解体されることを防止することができる手段が含まれて形成されることが望ましい。
【００６３】
結合手段１８０である雌雄部材の一側には長さ方向に一定の長さだけ延長されて形成され、かつ袋トンネル１１に弾性リング１００が挿入される際にトンネル１１内に容易に引き込みできるように形成された引き込みガイド線状体１８５を更に含むことができる。このような引き込みガイド線状体１８５は雌雄部材が嵌め合った後には除去される。雌雄部材と引き込みガイド線状体１８５の結合部にはこれらが容易に分離できるように切断溝１８６が形成される。結合部の厚さを薄くするか、または繋がれた部分の強度を弱くして切断溝１８６を形成することができる。
【００６４】
一方、本考案の第３実施例による弾性リング内腔１２０は一定の厚さを有し、開閉窓１３０を２つに分割できるように設けられた第１の仕切り１６１が含まれて内腔１２０が２つに分割されて形成できる。分割された内腔１２０には互いに異なる用途の薬物を受容することができる。
【第４実施例】
【００６５】
図１１乃至図１２は本考案の第４実施例による薬物分泌機能のある弾性リングを示したものであって、前記弾性リングは、外皮１１０と、外皮１１０の内部に薬物が受容できるように形成された内腔１２０と、内腔１２０に受容された薬物が分泌できるように外皮１１０に形成された溝１７０と、外皮を内周面と外周面に対して直角に切断して前記横切断面に連続するように形成され、外皮を分離させ、前記分離された外皮の切断面を再び結合させる結合手段１８０と、を含めて構成される。
【００６６】
本考案の第４実施例は第２実施例と同じ構成と機能に結合手段が付加されたものであり、重複される部分の説明は省略し、結合手段１８０も第３実施例で説明したので省略する。
【００６７】
本考案の第１実施例と第２実施例による薬物分泌機能のある弾性リングが袋と結合される過程は前記で説明した。
【００６８】
本考案の第３実施例と第４実施例による薬物分泌機能のある弾性リングが袋と結合される過程を説明すると次の通りである。
【００６９】
まず、袋の入口１０の端部を本体部２０の方に折るか、又は巻いて本体部２０に付着できるようにしてトンネル１１を形成し、弾性リング１００がトンネル内で動くことができるように弾性リング１００の外皮の直径より大きい直径を有するトンネル１１空間を形成する。
【００７０】
次に袋の前面と後面に形成された一対のトンネル１１の一側に引き込みガイド線状体１８５が形成された弾性リングの両端をそれぞれ引き込んでトンネル１１の他方に出るようにした後、結合手段１８０を互いに嵌合してリング構造を完成し、これにより袋１と本実施例の弾性リング１００の結合が完成する。
引き込みガイド線状体１８５と結合手段１８０の結合部には厚さの薄い切断溝１８６が形成されているので結合手段１８０の締結後に折られて除去される。
【００７１】
本考案の第１実施例または第３実施例を用いて袋がけをする場合には作業者が袋を果実に掛ける前に開閉窓１３０を開放する過程が必要である。開閉窓１３０を開放する方法は分離手段１５０を手で引っ張って開閉窓の縁１３１に付着された密閉手段１４０が剥離されて行われる。
【００７２】
本考案による薬物分泌機能のある弾性リングの内腔１２０に受容できる薬物の例としては硫黄製剤があり、硫黄製剤は有害物質を除去したＰｒｏｃｅｓｓｅｄ  ｓｕｌｆｕｒが望ましい。硫黄は単独で内腔１２０に受容できるが、硫黄と黄土との混合物、硫黄と石灰との混合物など色々な造成で内腔１２０に入れることができる。特に石灰硫黄合剤は黒星病、ダニ、カイガラムシ、アブラムシなどの防除に効果が高くて環境にやさしい農薬である。
【００７３】
また、本考案による実施例の内腔１２０にフェロモンまたはフィトンチッドなどの病害虫回避物質を格納して、薬品の伝達媒介体として活用でき、内腔に公知の微生物製剤を用いた梨の黒星病の治療剤が受容され、微生物製剤の散布媒介体としても活用できる。
【００７４】
以上の４つの実施例を通じて本考案の技術的思想を説明した。
【００７５】
本考案の属する技術分野における通常の知識を有する者が本考案の記載事項により前記の実施例を多様に変形するか、変更できることは自明である。また、たとえ明示的に図示、または説明されていないとしても本考案の属する技術分野における通常の知識を有する者が本考案の記載事項により、本考案による技術的思想を含む多様な形態の変形ができることは自明であり、これは依然として本考案の権利範囲に属する。添付の図面を参照して説明された前記の実施例は本考案を説明するための目的として記述されたものであり、本考案の権利範囲はこのような実施例に限らない。
【符号の説明】
【００７６】
１      果物袋                
２      バー
１０    入口                
１１    トンネル
２０    本体部              
２１    雨水流出口
１００  本考案による薬物分泌機能のある弾性リング
１１０  外皮              
１２０  内腔
１３０  開閉窓            
１３１  開閉窓の縁
１４０  密閉手段          
１５０  分離手段
１６０  仕切り            
１６１  第１の仕切り
１６２  第２の仕切り        
１７０  溝
１８０  結合手段          
１８１  凹部
１８２  凸部              
１８５  引き込みガイド線状体
１８６  切断溝
【図１】
0003193449.tif 000003
【図２】
0003193449.tif 000004
【図３】
0003193449.tif 000005
【図４】
0003193449.tif 000006
【図５】
0003193449.tif 000007
【図６】
0003193449.tif 000008
【図７】
0003193449.tif 000009
【図８】
0003193449.tif 000010
【図９】
0003193449.tif 000011
【図１０】
0003193449.tif 000012
【図１１】
0003193449.tif 000013
【図１２】
0003193449.tif 000014
【図１３】
0003193449.tif 000015
【図１４】
0003193449.tif 000016